(57)【要約】      （修正有）【課題】藻場礁を水底に配置した際に、藻場礁周辺に捕食生物が住み着くのを抑制することができる藻場礁を提供する。【解決手段】藻類を育成するための育成領域を含む育成ブロック１１と、前記育成領域を覆うように配置された藻類育成用ネット１２とを備える藻類育成部材１と、前記藻類育成部材１が水底に配置された際に水面側に配置される前記藻類育成用ネット１２の外面側に配置され且つ藻類を食する捕食生物を収容可能な収容空間を内側に形成する捕獲ネットと、前記捕食生物を前記収容空間に進入させるように前記捕獲ネットに形成された進入部とを含む捕獲部材とを備える。【選択図】図２
0003196564.tif 000002
【実用新案登録請求の範囲】
【請求項１】
藻類を育成するための育成領域を含む育成ブロックと、前記育成領域を覆うように配置された藻類育成用ネットとを備える藻類育成部材と、
前記藻類育成部材が水底に配置された際に水面側に配置される前記藻類育成用ネットの外面側に配置され且つ藻類を食する捕食生物を収容可能な収容空間を内側に形成する捕獲ネットと、前記捕食生物を前記収容空間に進入させるように前記捕獲ネットに形成された進入部とを含む捕獲部材とを備える藻場礁。
【請求項２】
藻類を配置するための藻類配置領域を含む藻類配置部材と、前記藻類配置領域を覆うように配置され且つ前記藻類配置領域が外部から透視可能な誘き寄せネットとを備え、且つ、前記捕獲部材と隣接するように配置される誘き寄せ部材をさらに備える請求項１に記載の藻場礁。
【請求項３】
前記誘き寄せネット及び前記捕獲ネットは透明又は白色である請求項２に記載の藻場礁。
【請求項４】
前記誘き寄せ部材は前記藻類配置領域の周囲に配置された複数の支柱を備え、
前記藻類育成部材は前記育成領域の周囲に配置された複数の支柱を備え、
前記誘き寄せ部材の支柱の少なくとも一の支柱は前記藻類育成部材の少なくとも一の支柱に取り付けられている請求項２又は３に記載の藻場礁。
【請求項５】
前記誘き寄せ部材は複数備えられ、該複数の誘き寄せ部材は前記捕獲部材の周囲に点在するように配置されている請求項２乃至４のいずれか一項に記載の藻場礁。
【請求項６】
前記進入部は、一方の端部に前記捕獲ネットの外部空間に開口する入口部を備え、他方の端部に前記収容空間に開口する出口部を備えており、前記入口部の開口面積は、前記出口部の面積よりも大である請求項１乃至５のいずれか一項に記載の藻場礁。
【請求項７】
前記捕獲部材は、前記収容空間と連通する回収空間を有する生物回収部材を備えており、前記回収空間の周囲には遮光性を有する材質からなる回収ネットが配置されている請求項１乃至６のいずれか一項に記載の藻場礁。
【請求項８】
藻類を食する捕食生物を収容可能な収容空間を内側に形成する捕獲ネットと、前記捕食生物を前記収容空間に進入させる進入部とを備え、
前記進入部は、一方の端部に前記捕獲ネットの外部空間に開口する入口部を備え、他方の端部に前記収容空間に開口する出口部を備えており、前記入口部の開口面積は、前記出口部の面積よりも大であって、
前記進入部の、前記捕獲ネットが水底に配置された際に水面側となる位置には透光ネットが配置されており、前記透光ネットは、前記捕獲ネットよりも光透過性が高くなるように構成されている生物捕獲部材。
【請求項９】
藻類を収容可能な藻類収容空間を内側に形成し且つ前記藻類収容空間を外部から透視可能に構成されている透視ネットを備えた藻類収容部材が前記捕獲ネットの外側に配置されている請求項８に記載の生物捕獲部材。
【考案の詳細な説明】
【技術分野】
【０００１】
本考案は、藻類を育成するための育成領域を備える藻場礁及び藻場礁付近に設置可能な生物捕獲部材に関する。
【背景技術】
【０００２】
水中で藻類を育成する方法として、種々の方法が知られている。例えば、藻類の胞子や藻類自体を礁材に付着させることで、礁材上に藻類の育成領域を形成した藻場礁を水中に配置する方法が知られている。しかしながら、魚類等の藻類をエサとする生物（捕食生物）が多数生息している水中では、礁材上で育成した藻類が捕食生物によって捕食されてしまうため、効率的に藻類を育成することができない。
【０００３】
そこで、礁材上の育成領域を覆うように藻類育成用ネットが礁材に取り付けられた藻場礁が提案されている（特許文献１参照）。斯かる藻場礁では、ネット内への捕食生物の進入がネットによって防止されるため、礁材上の藻類が捕食生物によって捕食されるのを防止することができる。これにより、礁材上に藻類の育成し易い環境が形成されている。
しかしながら、上記のような藻場礁を配置する水底付近には魚類等の藻類を捕食する捕食生物が恒常的に存在する。このため、藻類育成用ネットで覆われた育成領域で育成した藻類から放散される胞子が藻場礁の周囲の水底に着床して発芽したとしても、藻場礁の周辺に住み着いた捕食生物によって捕食されてしまい、藻場礁の周辺に藻場を拡大させることが困難となっている。
【０００４】
また、藻場礁付近等の藻類が存在する水中の領域では、藻類を捕食する捕食生物が多く集まるため、捕食生物を駆除するために効率よく駆除できる手段が要望されている。
例えば、特許文献２には、魚類、甲殻類、タコ等を捕獲する捕獲具が記載されている。かかる捕獲具は網状体から構成される本体と、該本体の内部空間と外部空間とを連通する漏斗状の漏斗状部とを備えており、該漏斗状部は、外部空間に開口する入口から内部空間に向かって狭くなるように形成されている。かかる捕獲具は、魚類等が漏斗状部に進入した場合に狭い方向に向かって進んでいく習性を利用して、内部空間に魚類等を収容しようとするものである。
しかしながら、かかる捕獲具では漏斗状部を捕食生物が発見しにくく、効率よく捕食生物を捕獲することが困難である。
【先行技術文献】
【特許文献】
【０００５】
【特許文献１】特開２００７−６７９６号公報
【特許文献２】特開２０１０−２６８７５２号公報
【考案の概要】
【考案が解決しようとする課題】
【０００６】
そこで、本考案は、藻場礁を水底に配置した際に、藻場礁周辺に捕食生物が住み着くのを抑制することができる藻場礁を提供することを課題とする。
また、本考案は、藻類を捕食する捕食生物を効率よく駆除できる生物捕獲部材を提供することを課題とする。
【課題を解決するための手段】
【０００７】
本考案にかかる藻場礁は、藻類を育成するための育成領域を含む育成ブロックと、前記育成領域を覆うように配置された藻類育成用ネットとを備える藻類育成部材と、前記藻類育成部材が水底に配置された際に水面側に配置される前記藻類育成用ネットの外面側に配置され且つ藻類を食する捕食生物を収容可能な収容空間を内側に形成する捕獲ネットと、前記捕食生物を前記収容空間に進入させるように前記捕獲ネットに形成された進入部とを含む捕獲部材とを備える。
【０００８】
本考案の藻場礁によれば、前記藻類育成部材と前記捕獲部材とを備えるために、まず、前記藻類育成部材が水底に配置された際に周囲にいる魚類等の捕食生物は、前記藻類育成部材の外部から育成領域を透視して該育成領域に配置された藻類に誘き寄せられて前記藻類育成部材の周囲に集まる。前記育成領域は藻類育成用ネットによって覆われているため、捕食生物は育成領域の藻類を食することができず、前記藻類育成部材の周囲を移動することになる。さらに、前記捕獲部材は、前記藻類育成部材が水底に配置された際に水面側に配置される前記藻類育成用ネットの外面側に配置されるため、前記藻類育成部材の周囲を移動するうちに捕食生物は前記捕獲ネットに形成された進入部から捕獲ネット内部に形成された収容空間に進入することが促される。その結果、捕食生物は収容空間に進入して捕獲される。
よって、藻場礁の周囲にいる魚類等の捕食生物を捕獲することができ、藻場礁周辺に魚類等の捕食生物が住み着くのを抑制することができる。
【０００９】
本考案は、藻類を配置するための藻類配置領域を含む藻類配置部材と、前記藻類配置領域を覆うように配置され且つ前記藻類配置領域が外部から透視可能な誘き寄せネットとを備え、且つ、前記捕獲部材と隣接するように配置される誘き寄せ部材をさらに備えられていてもよい。
【００１０】
前記誘き寄せ部材をさらに備えることにより、前記藻類育成部材が水底に配置された際に周囲にいる魚類等の捕食生物は、前記誘き寄せ部材の前記誘き寄せネットの外部から藻類配置領域を透視して該藻類配置領域に配置された藻類に誘き寄せられて前記誘き寄せ部材の周囲に集まる。前記藻類配置領域は前記誘き寄せネットによって覆われているため、捕食生物は藻類配置領域の藻類を食することができず、前記誘き寄せ部材の周囲を移動することになる。さらに、前記誘き寄せ部材に隣接して前記捕獲部材が配置されているため、前記誘き寄せ部材の周囲を移動するうちに捕食生物は前記捕獲ネットに形成された進入部から捕獲ネット内部に形成された収容空間に進入することが促される。その結果、捕食生物は収容空間に進入して捕獲される。
よって、藻場礁の周囲にいる魚類等の捕食生物をより捕獲しやすくなり、藻場礁周辺に魚類等の捕食生物が住み着くのをより抑制することができる。
【００１１】
前記誘き寄せネット及び前記捕獲ネットは透明又は白色であってもよい。
【００１２】
前記誘き寄せネット及び前記捕獲ネットは透明又は白色であることで、捕食生物が藻類配置領域の藻類をより透視しやすくなる。よって、捕食生物が誘き寄せ部材周囲により誘き寄せられやすくなる。
また、前記誘き寄せネット及び前記捕獲ネットによって光が遮られにくいため、藻類育成部材側に光が到達するのを遮ることを抑制できる。よって、藻類育成領域における藻類の育成を阻害することを抑制できる。
【００１３】
前記誘き寄せ部材は前記藻類配置領域の周囲に配置された複数の支柱を備え、前記藻類育成部材は前記育成領域の周囲に配置された複数の支柱を備え、前記誘き寄せ部材の支柱の少なくとも一の支柱は前記藻類育成部材の少なくとも一の支柱に取り付けられていてもよい。
【００１４】
前記誘き寄せ部材が前記配置領域の周囲に配置された複数の支柱を備えている場合には、支柱によって誘き寄せネットが支えられるため、配置領域の周囲に藻類を配置する空間を形成しやすいと同時に、誘き寄せネットを強固に固定して配置することができる。よって、水流等で誘き寄せネットが配置位置から離脱することを防止できる。
前記藻類育成部材が前記育成領域の周囲に配置された複数の支柱を含む場合には、支柱によって藻類育成用ネットが支えられるため、育成領域の周囲に藻類が育成する空間を形成しやすい。また、藻類育成用ネットが支柱で支えられることで、水流等によって藻類育成用ネットが藻類育成部材から離脱しにくくなる。
また、前記誘き寄せ部材の支柱の少なくとも一の支柱は前記藻類育成部材の少なくとも一の支柱に取り付けられている場合には、支柱同士を固定することで、前記藻類育成部材と前記誘き寄せ部材とを強固に取り付けることができる。
【００１５】
前記誘き寄せ部材は複数備えられ、該複数の誘き寄せ部材は前記捕獲部材の周囲に点在するように配置されていてもよい。
【００１６】
前記誘き寄せ部材が複数備えられ、該複数の誘き寄せ部材が前記捕獲部材の周囲に点在するように配置されている場合には、複数の誘き寄せ部材によって捕食生物が誘き寄せられやすくなると同時に、捕獲部材の周囲に誘き寄せ部材が点在するように配置されているため、点在する誘き寄せ部材の間を移動する捕食生物が捕獲部材により進入しやすくなる。
【００１７】
前記進入部は、一方の端部に前記捕獲ネットの外部空間に開口する入口部を備え、他方の端部に前記収容空間に開口する出口部を備えており、前記入口部の開口面積は、前記出口部の面積よりも大であってもよい。
【００１８】
前記進入部が、一方の端部に前記捕獲ネットの外部空間に開口する入口部を備え、他方の端部に前記収容空間に開口する出口部を備えており、前記入口部の開口面積は、前記出口部の面積よりも大である場合には、捕食生物が収容空間に進入しやすく且つ収容空間から脱出しにくくなるため、捕食生物を収容空間にとどめておきやすくなる。
【００１９】
前記捕獲部材は、前記収容空間と連通する回収空間を有する生物回収部材を備えており、前記回収空間の周囲には遮光性を有する材質からなる回収ネットが配置されていてもよい。
【００２０】
前記捕獲部材が前記収容空間と連通する回収空間を有する生物回収部材を備えており、前記回収空間の周囲には遮光性を有する材質からなる回収ネットが配置されている場合には、捕食生物が暗所を好む生物である場合に、前記収容空間から遮光性を有する材質からなる回収ネットで囲まれた回収空間に捕食生物を誘導させて回収空間に集めることができる。よって、捕獲した捕食生物を回収しやすくなる。
【００２１】
本考案にかかる生物捕獲部材は、藻類を食する捕食生物を収容可能な収容空間を内側に形成する捕獲ネットと、前記捕食生物を前記収容空間に進入させる進入部とを備え、前記進入部は、一方の端部に前記捕獲ネットの外部空間に開口する入口部を備え、他方の端部に前記収容空間に開口する出口部を備えており、前記入口部の開口面積は、前記出口部の面積よりも大であって、前記進入部の、前記捕獲ネットが水底に配置された際に水面側となる位置には透光ネットが配置されており、前記透光ネットは、前記捕獲ネットよりも光透過性が高くなるように構成されている。
【００２２】
本考案の生物捕獲部材によれば、前記捕獲ネットを水底に配置した場合、前記進入部の水面側（上方側）となる位置には前記捕獲ネットよりも光透過性の高くなるように構成された透光ネットが配置されているため、捕獲ネットの内側に形成された収容空間よりも、進入部の方が水面側からさす太陽光等の光によって明るくなる。従って、進入部付近に集まった捕食生物は進入部を発見しやすくなる。前記進入部は前記捕獲ネットの外部空間に開口する入口部が前記収容空間に開口する出口部の面積よりも大であるため、捕食生物は習性により収容空間に進入しやすく、且つ、収容空間は、前記進入部よりも暗所になるため、前記進入部に進入した捕食生物が暗所を好む生物である場合には前記収容空間に向かって進んでいきやすい。よって、前記収容空間へ捕食生物をより誘導しやすくなる。また、進入部は入口部が出口部の面積よりも大であるため、捕食生物は習性により収容空間から脱出しにくくなるため、捕食生物を収容空間にとどめておきやすくなる。
よって、藻類を捕食する捕食生物を効率よく収容空間に収容して、水底付近から駆除することができる。
【００２３】
本考案の生物捕獲部材は、藻類を収容可能な藻類収容空間を内側に形成し且つ前記藻類収容空間を外部から透視可能に構成されている透視ネットを備えた藻類収容部材が前記捕獲ネットの外側に配置されていてもよい。
【００２４】
藻類を収容可能な藻類収容空間を内側に形成し且つ前記藻類収容空間を外部から透視可能に構成されている透視ネットを備えた藻類収容部材が前記捕獲ネットの外側に配置されている場合には、水底周囲にいる魚類等の捕食生物は、透視ネットの外部から藻類収容部を透視して収容される藻類に誘き寄せられて該藻類収容部材の周囲に集まる。藻類収容空間に収容された藻類は透視ネットによって覆われているため、捕食生物は藻類を食することができず、藻類収容部材の周囲を移動することになる。さらに、前記藻類収容部材が前記捕獲ネットの外側に配置されているため、捕食生物は前記進入部から収容空間に進入することが促される。その結果、捕食生物は収容空間に進入して捕獲される。
よって、藻類を捕食する捕食生物をより効率よく収容空間に収容して、水底付近から駆除することができる。
【考案の効果】
【００２５】
藻場礁を水底に配置した際に、藻場礁周辺に捕食生物が住み着くのを抑制することができる。
また、藻類を捕食する捕食生物をより効率よく駆除できる。
【図面の簡単な説明】
【００２６】
【図１】実施形態に係る藻場礁を示す斜視図。
【図２】実施形態の藻類育成部材を示す斜視図。
【図３】実施形態の誘き寄せ部材を示す斜視図。
【図４】実施形態の捕獲部材を示す斜視図。
【図５】実施形態の藻場礁の使用状態を示す概略図。
【図６】実施形態の藻場礁の使用状態を示す概略図。
【図７】他の実施形態に係る藻場礁を示す斜視図。
【図８】他の実施形態の捕獲部材を示す斜視図。
【図９】実施形態に係る生物捕獲部材を示す斜視図。
【図１０】他の実施形態の生物捕獲部材を示す斜視図。
【考案を実施するための形態】
【００２７】
以下、図面に基づいて本考案に藻場礁及び生物捕獲部材の実施形態について説明する。尚、以下の図面において同一または相当する部分には同一の参照符号を付し、その説明は繰り返さない。
【００２８】
（実施形態１）
まず、本考案の藻場礁の実施形態について図１〜図４を参照しながら説明する。
本実施形態の藻場礁１０は、藻類を育成するための育成領域を含む育成ブロック１１と、前記育成領域を覆うように配置された藻類育成用ネット１２とを備える藻類育成部材１と、
前記藻類育成部材１が水底に配置された際に水面側に配置される前記藻類育成用ネット１２の外面側に配置され且つ藻類を食する藻類を食する捕食生物を収容可能な収容空間を内側に形成する捕獲ネット３３と、前記捕食生物を前記収容空間に進入させるように前記捕獲ネット３３に形成された進入部３４とを含み、且つ前記誘き寄せ部材２に隣接して配置された捕獲部材３とを備える。
【００２９】
また、本実施形態の藻場礁１０は、藻類を配置するための藻類配置領域を含む藻類配置部材２１と、前記藻類配置領域を覆うように配置され且つ前記藻類配置領域が外部から透視可能な誘き寄せネット２３とを備え、且つ、前記捕獲部材３と隣接するように配置される誘き寄せ部材２をさらに備える。
【００３０】
まず、前記藻類育成部材１について詳しく説明する。
藻類育成部材１は、図１及び図２に示すように、藻類を育成するための育成領域ＮＡを含む育成ブロック１１と、前記育成領域ＮＡを覆うように配置された藻類育成用ネット１２とを備える。
育成ブロック１１としては、特に限定されるものではないが、例えば、コンクリート等から形成された図１及び２に示すような略六面体のブロック体等が挙げられる。
該育成ブロック１１の一面側には、藻類を育成する育成領域ＮＡが備えられている。該育成領域ＮＡは、例えば、育成ブロック１１の一面に形成された藻類の胞子等が付着しやすい凹凸領域等が挙げられる。
【００３１】
本実施形態の藻類育成部材１は、複数個（本実施形態では９個）の育成ブロック１１を備えている。各育成ブロック１１は育成領域ＮＡが形成された面が上面になるように縦横３個ずつ、平面上、例えば、コンクリート製の板部材１４の一面上等に配置されている。
【００３２】
本実施形態において、育成ブロック１１の周囲には４本の支柱１３が配置されている。具体的には、育成ブロック１１が配置された板部材１４の四隅にあたる位置において、前記育成領域ＮＡの上方に向かって突出するように４本の支柱１３が立設されている。支柱１３としては特に限定されるものではないが、例えば、鋼鉄等の金属製、ＦＲＰ等の合成樹脂製の支柱等が上げられる。支柱１３を設置する方法についても特に限定されるものではないが、例えば、前記育成ブロック１１に取りつけることで固定して設置してもよく、育成ブロック１１を配置する板部材１４の上面に穴を形成して、該穴に支柱を挿入することで設置してもよい。
【００３３】
藻類育成用ネット１２は、育成ブロック１１の育成領域ＮＡを覆うように前記支柱１３に取り付けられている。すなわち、４本の支柱１３間に配置され育成領域の周囲を包囲するように配置される外周ネット１２ａと、育成領域ＮＡの上方に配置される上方ネット１２ｂとから構成される。
藻類育成用ネット１２と支柱１３とは、紐や結束具等によって固定されていてもよい。
【００３４】
藻類育成用ネット１２としては特に限定されるものではなく、ポリエチレン等の合成樹脂製、天然繊維製、金属製のネット等であって、藻類を魚類等の捕食生物から捕食から保護可能なネットであればどのようなものであってもよい。
【００３５】
次に、誘き寄せ部材２及び捕獲部材３について詳しく説明する。
本実施形態の誘き寄せ部材２は、図１及び図３に示すように、前記藻類育成部材１の上方ネット１２ｂの四隅に４個配置されている。さらに、該誘き寄せ部材２は、上方ネット１２ｂの中央部に配置された捕獲部材３の周囲（本実施形態においては四隅にあたる位置）に点在するように配置されている。
【００３６】
本実施形態の誘き寄せ部材２は、図３に示すように、上面に藻類配置領域を備えた藻類配置部材２１と、該藻類配置部材２１が載置される板部材２４と、該板部材２４の四隅に配置された４本の支柱２２と、前記藻類配置部材２１の藻類配置領域を覆うように配置された誘き寄せネット２３とから構成されている。尚、図１及び図３において、誘き寄せネット２３は省略又は一部省略されている。
【００３７】
前記藻類配置部材２１は、特に限定されるものではないが、例えば、コンクリート等から形成された板状のブロック体等が挙げられる。
該藻類配置部材２１の一面側には藻類が配置される藻類配置領域ＡＡが備えられている。本実施形態の藻類配置領域ＡＡは藻類配置部材２１の一面から構成されており、該藻類配置領域ＡＡには、あらかじめ採取しておいた藻類を固定してもよく、或いは藻類の胞子等を藻類配置部材２１に付着させて育成させることで藻類を配置してもよい。
【００３８】
誘き寄せネット２３は、特に限定されるものではなく、ポリエチレン等の合成樹脂製、天然繊維製、金属製のネット等であって、藻類を魚類等の捕食生物から捕食から保護可能なネットであればどのようなものであってもよいが、藻類配置部材２１に配置された藻類が誘き寄せ部材２の外側から透視可能なようなネットから構成される。
透視可能な誘き寄せネット２３としては、透明又は白色のネットから構成されていてもよい。誘き寄せネット２３が透明又は白色のネットから構成されている場合には、外側からより透視しやすいため、捕食生物が藻類を認識しやすく誘き寄せられやすい。また、透明又は白色のネットは光を遮りにくいため、藻類配置領域ＡＡの藻類の育成、生存を阻害することが抑制できる。
【００３９】
藻類配置領域ＡＡに配置される藻類は特に限定されるものではなく、藻場礁１０の設置される周囲から排除したい捕食生物の好む藻類等から選択してもよく、例えば、ヒジキ、クロメ等が挙げられる。
【００４０】
本実施形態において、誘き寄せ部材２の藻類配置領域ＡＡの周囲には４本の支柱２２が配置されている。具体的には、藻類配置部材２１が載置された板部材２４の四隅にあたる位置に４本の支柱２２が藻類配置領域ＡＡの上方に向かって突出するように立設されている。支柱２２としては特に限定されるものではないが、例えば、鋼鉄等の金属製、ＦＲＰ等の合成樹脂製の支柱等が挙げられる。支柱２２を板部材２４に設置する方法についても特に限定されるものではないが、例えば、板部材２４に溶接や接着などによって支柱２２を固定して取り付けてもよく、板部材２４と支柱２２とを一体成型によって形成してもよく、板部材２４に穴を形成して、該穴に支柱２２を挿入することで設置してもよい。あるいは、直接、藻類配置部材２１に支柱を設置することで、藻類配置領域ＡＡの周囲に支柱２２を配置してもよい。
【００４１】
誘き寄せネット２３は、藻類配置領域ＡＡを覆うように前記支柱２２に取り付けられている。すなわち、４本の支柱２２間に配置され藻類配置領域ＡＡの周囲を包囲するように配置される外周ネット２３ａと、藻類配置領域の上方に配置される上方ネット２３ｂとから構成される。
誘き寄せネット２３と支柱２２とは、紐や結束具等によって固定されていてもよい。
【００４２】
本実施形態の捕獲部材３は、前記藻類育成部材１の上方ネット１２ｂの上部に配置されている。本実施形態の捕獲部材３は、図４に示すように、捕獲部本体３１と、該捕獲部本体３１の側方部に隣接するように配置されている生物回収部材３２とから構成されている。
【００４３】
捕獲部本体３１は、捕食生物を収容可能な収容空間Ｒ１を内側に形成する捕獲ネット３３と、捕食生物を前記収容空間Ｒ１に進入させるように前記捕獲ネット３３に形成された進入部３４とを含む。
【００４４】
具体的には、捕獲部本体３１は、上面部と側面部とに捕獲ネット３３が配置されることで、該捕獲ネット３３で囲まれた内側に収容空間Ｒ１が形成されている。上面部は略矩形状であり、四隅に誘き寄せ部材２が嵌合可能な凹部Ｃが形成されている。
【００４５】
捕獲部本体３１の側面部のうち対向する一対の面には進入部３４が形成されている。各進入部３４の両端は捕獲部本体３１の外部空間Ｒ２と、前記収容空間Ｒ１とに開口している。具体的には、進入部３４の一方の端部には外部空間Ｒ２に開口する入口部３４ａが備えられ、他方の端部には収容空間Ｒ１に開口する出口部３４ｂが備えられている。
また、進入部３４は、前記入口部３４ａの開口面積が前記出口部３４ｂの面積よりも大になるように構成されている。
本実施形態における進入部３４のより具体的な構成は以下のような構成である。すなわち、図４に示すように、入口部３４ａは捕獲部本体３１の側面に配置された捕獲ネット３３に長方形状に開口されてなり、該入口部３４から収容空間Ｒ１の内部に向かって狭くなるように形成された進入路３４ｃを備え、該進入路３４ｃの最先端、すなわち、収容空間Ｒ１側の端部には切りこみ状の出口部３４ｂが形成されている。
【００４６】
本実施形態の捕獲部本体３１は、図４に示すようなフレーム３５を備えていてもよい。
フレーム３５は、鋼鉄等の金属製、ＦＲＰ等の合成樹脂製等からなるフレーム部材から構成されているものが挙げられ、各フレーム部材が捕獲部本体３１の上面、底面、側面及び進入路３４ｃの形状を構成するように配置されてフレーム３５は構成されている。
【００４７】
捕獲ネット３３は、特に限定されるものではなく、ポリエチレン等の合成樹脂製、天然繊維製、金属製のネット等であって、魚類等の捕食生物が収容空間Ｒ１から逃げ出さないようなネットであればどのようなものであってもよいが、例えば、透明又は白色のネットから構成されていてもよい。捕獲ネット３３が透明又は白色のネットから構成されている場合には、下方に配置される藻類育成部材１の藻類配置領域ＡＡの藻類の育成、生存を阻害することが抑制できる。尚、図４において、捕獲ネット３３は一部省略されている。
【００４８】
本実施形態において捕獲部本体３１は、前記フレーム３５に捕獲ネット３３が取り付けられることで形成されていてもよい。
捕獲部本体３１にフレーム３５が備えられている場合には、捕獲ネット３３は、紐や結束具等によってフレーム３５に固定されていてもよい。
【００４９】
本実施形態の捕獲ネット３３は、捕獲部本体３１の収容空間Ｒ１の周囲を包囲するように配置される外周ネット３３ａと、収容空間Ｒ１の上方に配置される上方ネット３３ｂと前記進入路３４ｃの側壁を構成する一対の進入路ネット３３ｃ、３３ｃとから構成される。
前記進入路３４ｃは、入口部３４ａが前記外周ネット３３ａに開口するように構成されており、出口部３４ｂが一対の進入路ネット３３ｃが当接することで切り込み状の開口として構成されている。
【００５０】
また、捕獲部本体３１の四隅に前記誘き寄せ部材２が配置されているため、一対の進入路ネット３３ｃ、３３ｃにおいて２個の誘き寄せ部材２の間に進入路３４ｃの入口部３４ａが配置されている。
【００５１】
前記生物回収部材３２は、前記捕獲部本体３１の一の側方部に配置されており、前記収容空間Ｒ１と連通する回収空間Ｒ３を備えており、前記回収空間Ｒ３の周囲には遮光性を有する材質からなる回収ネット３８が配置されている。
【００５２】
生物回収部材３２にはフレーム３６が備えられていてもよく、該フレーム３６に回収ネット３８が取り付けられることで回収空間Ｒ３が回収ネット３８によって囲まれるように構成されていてもよい。
生物回収部材３２にフレーム３６が備えられている場合には、回収ネット３８が紐や結束具等によって該フレーム３６に固定されていてもよい。
前記フレーム３６としては特に限定されるものではなく、例えば、鋼鉄等の金属製、ＦＲＰ等の合成樹脂製からなるフレーム部材から構成されているものが挙げられる。
【００５３】
本実施形態の回収ネット３８は、特に限定されるものではなく、ポリエチレン等の合成樹脂製、天然繊維製、金属製のネット等であって、魚類等の捕食生物が回収空間Ｒ３から逃げ出さないようなネットであればどのようなものであってもよいが、例えば、遮光性を有する材質からなるネットから構成されていることが好ましい。回収ネット３８が遮光性を有する材質から構成されている場合には、例えば、捕食生物が暗い場所を好む魚類等である場合に、収容空間Ｒ１から回収空間Ｒ３に進んで入るため、回収空間Ｒ３に捕獲した捕食生物を集めることが容易にできる。
遮光性を有する材質からなるネットとしては、黒色や暗色のネット等が挙げられる。尚、図４において、回収ネット３８は一部省略されている。
【００５４】
生物回収部材３２は、必要に応じて前記捕獲部本体３１から取り外し可能なように前記捕獲部本体３１の一の側方部に取り付けられていてもよい。
【００５５】
本実施形態の生物回収部材３２においてが回収ネット３８は、回収空間Ｒ３の周囲を包囲する位置と、回収空間Ｒ３の上方と、回収空間Ｒ３の下方とに配置されている。
捕獲部本体３１の収容空間Ｒ１と、生物回収部材３２の回収空間Ｒ３とは、生物回収部３の一側面側の回収ネット３８に形成された回収部進入部３９によって連通されている。
具体的には、回収部進入部３９は、収容空間Ｒ１に開口された入口部３９ａと回収空間Ｒ３に開口された出口部３９ｂとを備えており、前記進入部３４と同様に、入口部３９ａは長方形状の開口からなり、該入口部３９ａから回収空間Ｒ３の内部に向かって狭くなるように形成された進入路３９ｃが形成されている。該進入路３９ｃの最先端、すなわち、回収空間Ｒ３側の端部には切りこみ状の出口部３９ｂが形成されている。
【００５６】
生物回収部材３２の回収ネット３８には、回収空間Ｒ３と外部空間Ｒ２とを連通させることが可能な取り出し口（図示せず）が備えられていてもよい。取り出し口は保管生物を回収空間Ｒ３内に保管中は閉鎖されており、必要に応じて開口可能な取り出し口であることが好ましい。取り出し口としては、例えば、面ファスナーや線ファスナー等の開閉自在な手段が取り付けられている開口部等が挙げられる。
【００５７】
本実施形態において捕獲部材３は、前記藻類育成部材１の上方ネット１２ｂ上に配置されているが、捕獲部材３の捕獲部本体３１は上方ネット１２ｂの内側に配置され、生物回収部材３２は前記藻類育成部材１の上方ネット１２ｂから外側に突出するように配置されている。
従って、本実施形態の捕獲部本体３１の底面には、捕獲ネット３３は配置されていなくても、藻類育成部材１の上方ネット１２ｂによって収容空間Ｒ２が形成される。
また、生物回収部材３２の下方には藻類育成部材１が配置されていないため、回収ネット３８で藻類育成領域ＮＡを遮光しにくい。
【００５８】
また、藻類育成部材１、誘き寄せ部材２、捕獲部材３の捕獲部本体３１及び生物回収部材３２は、各部材にそれぞれ配置されたネット（藻類育成用ネット１２、誘き寄せネット２３、捕獲ネット３３、回収ネット３８）同士を紐や結束具で固定することで固定されていてもよい。或いは、それぞれに配置された支柱やフレーム部材（藻類育成部材１の支柱１３、誘き寄せ部材２の支柱２２、捕獲部本体３１のフレーム３５、生物回収部材３２のフレーム３６）同士を紐や結束具で固定することで固定されていてもよい。
【００５９】
次に上記のような本実施形態の藻場礁１０を使用する場合について説明する。
【００６０】
本実施形態において、藻場礁１０は前記藻類育成部材１が水底等に載置されることで設置される。藻場礁１０は藻類育成部材１が直接水底に配置されていてもよく、あるいは、図１に示すような礁材１００の上に配置されて、礁材１００ごと水底に設置されてもよい。本実施形態の礁材１００は、脚部が３本配置されているコンクリート製ブロックからなる礁材１００であり、かかる礁材１００の上に藻場礁１０は配置することで水底面に凹凸があるような場合にも安定して藻場礁１０を設置することができる。
【００６１】
藻場礁１０は、前記誘き寄せ部材２及び前記捕獲部材３が水面側に配置されるように設置されることが好ましい。
【００６２】
水底に設置された藻場礁１０の藻類育成部材１では、藻類が育成される育成領域ＮＡが藻類育成用ネット１２に覆われているため魚類等の捕食生物に捕食することなく育成されうる。一方、藻類育成部材１で藻類が育成されるにつれて、かかる藻類を餌とするイシズミ、ブダイ、アイゴ等の魚類等の捕食生物が周囲に集まるようになる。
【００６３】
藻類育成部材１の近傍（本実施形態では上方）には、誘き寄せ部材２が配置されている。該誘き寄せ部材２の誘き寄せネット２３は、透視可能なネットから構成されているため、捕食生物から誘き寄せ部材２の藻類配置領域に配置された藻類がよく見え、誘き寄せ部材２の周囲により集まりやすくなる。しかし、藻類配置領域に配置された藻類は誘き寄せネット２３で保護されており、捕食生物はかかる藻類を食することができず、周囲を周遊する。
【００６４】
また、誘き寄せネット２３及び捕獲ネット３３は透明又は白色である場合には、誘き寄せ部材１及び捕獲部材１が藻類育成部材１の上方に配置されていても、光を透過しやすいため、藻類配置領域に配置された藻類の育成が抑制されることはない。
【００６５】
本実施形態の藻場礁１０には、２個の誘き寄せ部材２の間に前記捕獲部材３の進入部３４の入口部３４ａが配置されているため、誘き寄せ部材２の周囲を周遊する捕食生物は入口部３４ａ内に進入しやすくなる。
【００６６】
特に、本実施形態の進入部３４は入口部３４ａが広く、内部に向かって狭くなるような進入路３４ｃが形成されており、かかる形状の進入路３４ｃを好む魚類等の捕食生物はより入口部３４ａ内に進入しやすくなる。
【００６７】
具体的には、図５に示すように、入口部３４ａ内に進入した捕食生物Ｆは、出口部３４ｂに到達するが、出口部３４ｂは切り込み状の開口が形成されているため、捕食生物Ｆが該出口部３４ｂに当接すると、切り込みが開き捕食生物Ｆが該出口部３４ｂを通過可能となる。
【００６８】
一方、捕食生物Ｆが収容空間Ｒ１内に入った後には、図６に示すように、前記出口部３４ｂは閉じた状態になるため捕食生物Ｆが開口に気づきにくく、外部空間Ｒ２側に脱出しにくくなる。
【００６９】
本実施形態の捕獲部材３の捕獲部本体１には、前記生物回収部材３２が隣接して配置されている。上述のとおり捕獲部本体３１の収容空間Ｒ１と、生物回収部材３２の回収空間Ｒ３とは、生物回収部３の一側面側の回収ネット３８に形成された回収部進入部３９によって連通されているため収容空間Ｒ１内の捕食生物は、入口部３９ａから回収空間Ｒ３の内部に向かって狭くなるように形成された進入路３９ｃに進入し、進入路３９ｃの最先端の端部に形成された切りこみ状の出口部３９ｂに当接して、切り込みを開くことで、回収空間Ｒ３に進入する。
回収空間Ｒ３内に入った後には、前記出口部３９ｂは閉じた状態になるため捕食生物Ｆが開口に気づきにくく、収容空間Ｒ１側に脱出しにくくなる。
【００７０】
このように捕獲部材２において捕食生物Ｆを捕獲することで、藻場礁１０の周囲の魚類を駆除して、住み着くことを抑制することができる。
【００７１】
捕獲された捕食生物は、例えば、生物回収部３内に一定期間保管しておき、多数の捕食生物が捕獲されてから該生物回収部３から取り出してもよい。
この場合、生物回収部材３２の回収ネット３８に回収空間Ｒ３と外部空間Ｒ２とを連通させることが可能な取り出し口が備えられている場合には、該取り出し口から捕食生物を容易に取り出すことができる。
【００７２】
また、生物回収部材３２が前記捕獲部本体３１から取り外し可能なように前記捕獲部本体３１に取り付けられている場合には、捕食生物を取り出す際に生物回収部材３２のみを捕獲部材３から取り外して、水中から引き上げて、生物回収部材３２ごと捕食生物を取り出してもよい。
【００７３】
以上のように、本実施形態の藻場礁１０は、該藻場礁１０が設置された周囲に集まる捕食生物を捕獲することが容易にできる。従って、藻場礁１０の周辺に捕食生物が住み着くのを防止することができる。
【００７４】
尚、本実施形態では、誘き寄せ部材２を複数個配置したが、誘き寄せ部材の配置される数は単数であってもよい。
【００７５】
（実施形態２）
本考案の藻場礁の他の実施形態について図７及び８を参照しながら説明する。
本実施形態の藻場礁１０は、基本的な構成は実施形態１における藻場礁１０と同様であるが、誘き寄せ部材２を備えていない点において相違する。
具体的には、図７に示すように、本実施形態の藻場礁１０は、藻類を育成するための育成領域を含む育成ブロック１１と、前記育成領域を覆うように配置された藻類育成用ネット１２とを備える藻類育成部材１と、前記藻類育成部材１が水底に配置された際に水面側に配置される前記藻類育成用ネット１２の外面側に配置され且つ藻類を食する藻類を食する捕食生物を収容可能な収容空間を内側に形成する捕獲ネット３３と、前記捕食生物を前記収容空間に進入させるように前記捕獲ネット３３に形成された進入部３４とを含む捕獲部材３’とを備える。
【００７６】
本実施形態の捕獲部材３’は、図８に示すように、四隅に誘き寄せ部材２が配置される凹部が形成されていない以外は上記実施形態１の捕獲部材３と同様の構成である。
また、本実施形態の捕獲部材３’は、図７に示すように実施形態１と同様の構成の藻類育成部材１の上方ネット上に捕獲部本体３１が上方ネットの内側に配置され、生物回収部材３２は前記藻類育成部材１の上方ネットから外側に突出するように配置されている。
【００７７】
本実施形態の藻場礁１０の周囲にいる捕食生物は、藻類育成部材１の育成領域ＮＡを藻類育成ネット１２の外から透視して該育成領域ＮＡに配置された藻類に誘き寄せられて前記藻類育成部材１の周囲に集まる。そして、藻類育成用ネット１２によって藻類を食すことができない捕食生物は、前記藻類育成部材１の周囲を移動することになり、該藻類育成部材１上部に配置された前記捕獲部材３の内側の収容空間Ｒ１内部に進入部３４から進入することが促され、捕食生物は収容空間Ｒ１に進入して捕獲される。
【００７８】
尚、上記各実施形態では、捕獲部材３には捕獲部本体３１と生物回収部材３２とが備えられているが、生物回収部材３２が備えられていることには限定されるものではない。
【００７９】
さらに、上記各実施形態では進入部３４及び回収部進入部３９として、長方形状の入口部と該入口部から進入させる方向に向かって狭くなる進入路と切り込み状の出口部とが備えられている構成を例示したが、進入部３４及び回収部進入部３９の構成はこれに限定されるものではない。
例えば、円形状の入口部と出口部とを備えた進入部であって、入口部の直径が出口部の直径よりも大となるように構成された進入部であてもよい。
さらには、進入部及び回収部進入部が入口部と出口部を備えていることにも限定されるものではなく、例えば、捕獲ネット３３或いは回収ネット３８に切り込み状の開口が形成されて構成された進入部及び回収部進入部であってもよい。
【００８０】
また、上記各実施形態では藻類育成部材１の上方に捕獲部材３（又は捕獲部材３及び誘き寄せ部材２）が配置されているが、誘き寄せ部材２、捕獲部材３が配置される位置はこれに限定されるものではなく、例えば、藻類育成部材１に隣接した側方に誘き寄せ部材２、捕獲部材３が配置されていてもよく、あるいは、藻類育成部材１の下方に、誘き寄せ部材２、捕獲部材３が配置されていてもよい。
【００８１】
（実施形態３）
まず、本考案の生物捕獲部材の実施形態について図９を参照しながら説明する。
本実施形態の生物捕獲部材３００は、基本的な構成は実施形態１における捕獲部材３と同様であるが、進入部３４の、前記捕獲ネット３３が水底に配置された際に水面側となる位置には透光ネット３３４が配置されており、前記透光ネット３３４は、前記捕獲ネット３３よりも光透過性が高くなるように構成されている点において相違する。
【００８２】
本実施形態の捕獲ネット３３は、実施形態１の捕獲部材３と同様に、捕獲部本体３１の収容空間Ｒ１の周囲を包囲するように配置される外周ネット３３ａと、収容空間Ｒ１の上方に配置される上方ネット３３ｂと前記進入路３４ｃの側壁を構成する一対の進入路ネット３３ｃ、３３ｃとから構成される。
すなわち、前記透光ネット３３４は、外周ネット３３ａ、上方ネット３３ｂ、進入路ネット３３ｃ、３３ｃよりも光透過性が高くなるように構成されている。
【００８３】
また、捕獲部本体３１の四隅には上記実施形態１と同様の誘き寄せ部材２が４つ配置されている。すなわち、本実施形態の生物捕獲部材３００において、実施形態１と同様の誘き寄せ部材２が、藻類収容部材として配置されるべく構成されており（誘き寄せ部材２は図示せず）、誘き寄せネット２３は透視ネットとして配置されている。
【００８４】
前記透光ネット３３４を前記捕獲ネット３３よりも光透過性が高くなるように構成するためには、例えば、捕獲ネット３３を黒色や暗色のネットから構成し、透光ネット３３４を捕獲ネット３３を明るい色、透明、半透明のネットから構成することや、捕獲ネット３３よりも透光ネット３３４のネットの密度を低くすることなどが挙げられる。
【００８５】
かかる本実施形態の生物捕獲部材３００は、藻類を捕食する捕食生物を駆除したい水底等に前記透光ネット３３４が水面側（上方側）に配置されるように設置される。
この場合、生物捕獲部材３００には、四隅に誘き寄せ部材が配置されるため、該誘き寄せ部材の藻類配置領域に配置された藻類によって捕食生物は誘き寄せられ、さらに、誘き寄せ部材の間に進入部３４の入口部３４ａが配置されているため、誘き寄せ部材の周囲を周遊する捕食生物は入口部３４ａ内に進入しやすくなる。
【００８６】
本実施形態の進入部３４の水面側には捕獲ネット３３よりも光透過性の高い透光ネット３３４が配置されているため、該透光ネット３３４の下方側に配置される進入部３４には、収容空間Ｒ１よりも光が入りやすくなり明るくなる。
よって、捕食生物がかかる進入部３４を発見しやすくなり、より進入しやすくなる。また、該進入部３３４の進入路３４ｃは入口部３４ａが広く内部に向かって狭くなるような進入路３４ｃが形成されており、かかる形状の進入路３４ｃを好む魚類等の捕食生物はより入口部３４ａ内に進入しやすくなる。
さらに、進入路３４ｃにおいては、捕獲ネット３３で囲まれた収容空間Ｒ１は暗くみえるため、入口部３４ａ内に進入した捕食生物は収容空間Ｒ１へ進入を促される。
よって、捕食生物を収容空間Ｒ１へより誘導しやすくなり、周囲の捕食生物を効率よく駆除することができる。
【００８７】
尚、本実施形態では誘き寄せ部材を藻類収容部材として捕獲ネット３３の外側に配置する構成を採用したが、例えば、実施形態１及び２の藻場礁１０の藻類育成部材１を藻類収容部材として用いて、該藻類育成部材１が捕獲ネット３３の外側に配置されているように構成してもよい。この場合、藻類育成用ネット１２を、該藻類育成用ネット１２の内部を外側から透視可能に構成することが好ましい。
【００８８】
誘き寄せ部材、藻類育成部材１等の藻類収容部材が配置される位置は、特に限定されるものではなく、捕獲ネット３３の外側であればいずれの箇所であってもよい。但し、進入部３４に近接位置である場合には、捕食生物を収容空間内部に誘導しやすくなるため特に好ましい。
【００８９】
（実施形態４）
本考案の生物捕獲部材の実施形態について図１０を参照しながら説明する。
本実施形態の生物捕獲部材３００’は、基本的な構成は実施形態３の生物捕獲部材３００と同様の構成であるが、実施形態２と同様に誘き寄せ部材（藻類収容部材）が配置されていない点において相違する。
【００９０】
尚、上記生物捕獲部材にかかる各実施形態では、生物捕獲部材３００、３００’には捕獲部本体３１と生物回収部材３２とが備えられているが、生物回収部材３２が備えられていることには限定されるものではない。
【００９１】
さらに、上記生物捕獲部材にかかる各実施形態では、進入部３４及び回収部進入部３９として、長方形状の入口部と該入口部から進入させる方向に向かって狭くなる進入路と切り込み状の出口部とが備えられている構成を例示したが、進入部３４及び回収部進入部３９の構成はこれに限定されるものではない。
例えば、円形状の入口部と出口部とを備えた進入部であって、入口部の直径が出口部の直径よりも大となるように構成された進入部であてもよい。
さらには、進入部及び回収部進入部が入口部と出口部を備えていることにも限定されるものではなく、例えば、捕獲ネット３３或いは回収ネット３８に切り込み状の開口が形成されて構成された進入部及び回収部進入部であってもよい。
【００９２】
また、本実施形態の生物捕獲部材３００は、上記実施形態１及び２で示された藻場礁における藻類育成部材上に配置されていてもよく、或いは、図１及び図７に示すような礁材１００の上に配置されていてもよい。さらには、水底に直接設置されてもよい。
【００９３】
尚、本実施形態にかかる藻場礁及び生物捕獲部材は以上のとおりであるが、今回開示された実施の形態はすべての点で例示であって制限的なものではないと考えられるべきである。本考案の範囲は前記説明ではなくて実用新案登録請求の範囲によって示され、実用新案登録請求の範囲と均等の意味および範囲内でのすべての変更が含まれることが意図される。
【符号の説明】
【００９４】
１  藻類育成部材、１１  育成ブロック、１２  藻類育成用ネット、２  誘き寄せ部材、２３  誘き寄せネット、３  捕獲部材、３１  捕獲部本体、３２  生物回収部、３３  捕獲ネット、３４  進入部、３８  回収ネット、１０  藻場礁、３００  生物捕獲部材、３３４  透光ネット
【図１】
0003196564.tif 000003
【図２】
0003196564.tif 000004
【図３】
0003196564.tif 000005
【図４】
0003196564.tif 000006
【図５】
0003196564.tif 000007
【図６】
0003196564.tif 000008
【図７】
0003196564.tif 000009
【図８】
0003196564.tif 000010
【図９】
0003196564.tif 000011
【図１０】
0003196564.tif 000012